(57)【特許請求の範囲】
【請求項１】
第１の光源によって照明される第１の表示部と、前記第１の光源とは異なる照明色の第２の光源によって照明される第２の表示部と、を有した表示板と、
前記第１の光源の光が入光する第１の入光部と、前記第１の表示部の背後に位置し前記第１の入光部から入光した前記第１の光源の光を前記第１の表示部に導光する第１の導光部と、を有した第１の導光体と、
前記第２の光源の光が入光する第２の入光部と、前記第２の表示部の背後に位置し前記第２の入光部から入光した前記第２の光源の光を前記第２の表示部に導光する第２の導光部と、を有した第２の導光体と、
前記第１の入光部と前記第２の入光部とを連結する連結部と、
を備えた照明装置において、
前記連結部は、前記第１の入光部に入光した光と、前記第２の入光部に入光した光とを前記表示板の方向へ進行させるための突出部を有し、
前記突出部は、前記表示板のうち前記第１の表示部と前記第２の表示部とが表示されない遮光部の背面側に形成されていることを特徴とする照明装置。
【発明の詳細な説明】
【技術分野】
【０００１】
本発明は、光源から発せられた照明光にて表示部を照明する照明装置に関するものである。
【背景技術】
【０００２】
従来より、例えば指針や複数の表示部のように異なる照明対象をそれぞれ照明するために、複数の同心円状の導光体を備え、この導光体を一体成形する照明装置が知られている。この照明装置は、指針を照明する光源と、指標部を照明する光源と、それぞれの光源に対応した導光体とを有した照明装置であって、複数の導光体を連結部で連結することでコストを削減することができるというものである。
【先行技術文献】
【特許文献】
【０００３】
【特許文献１】特開２００２−２９６０８０号公報
【特許文献２】特開２００４−２１２１２６号公報
【発明の概要】
【発明が解決しようとする課題】
【０００４】
しかしながら、このような照明装置は、導光体が連結部によって連結されているため、それぞれの照明対象を単独で照明すると、照明対象ではない箇所に光漏れが生じ商品性が低下するという問題を有している。
【０００５】
また、異なる発光色の光源で照明する場合、少ない光漏れであっても色が混ざってしまい、混色した光が露光した場合、見た目の品質が劣ってしまうという問題点があった。
【０００６】
そこで、本発明は、この問題に鑑みなされたものであり、異なる発光色の光源を用いても、混色した光が表示領域に達することを抑制する照明装置を提供するものである。
【課題を解決するための手段】
【０００７】
本発明は、第１の光源によって照明される第１の表示部と、前記第１の光源とは異なる照明色の第２の光源によって照明される第２の表示部と、を有した表示板と、
前記第１の光源の光が入光する第１の入光部と、前記第１の表示部の背後に位置し前記第１の入光部から入光した前記第１の光源の光を前記第１の表示部に導光する第１の導光部と、を有した第１の導光体と、
前記第２の光源の光が入光する第２の入光部と、前記第２の表示部の背後に位置し前記第２の入光部から入光した前記第２の光源の光を前記第２の表示部に導光する第２の導光部と、を有した第２の導光体と、
前記第１の入光部と前記第２の入光部とを連結する連結部と、
を備えた照明装置において、
前記連結部は、前記第１の入光部に入光した光と、前記第２の入光部に入光した光とを前記表示板の方向へ進行させるための突出部を有し、
前記突出部は、前記表示板のうち前記第１の表示部と前記第２の表示部とが表示されない遮光部の背面側に形成されているものである。
【発明の効果】
【０００９】
異なる発光色の光源を用いても、混色した光が表示領域に達することを抑制する照明装置を提供することができる。
【図面の簡単な説明】
【００１０】
【図１】本発明の実施形態を示す正面図。
【図２】図１のＡ−Ａ断面図。
【図３】同実施形態の導光体の正面図。
【図４】図３のＢ−Ｂ断面図。
【発明を実施するための形態】
【００１１】
以下、添付図面に基づいて、本発明の実施形態を説明する。照明装置は、表示板２と、第１，第２の光源３，４と、第１，第２の導光体５，６とを備える。
【００１２】
表示板２は、透明樹脂に数字及び目盛りを印刷したものであり、第１の指標部２ａと、第２の指標部２ｂと、遮光部２ｃとを有している。表示板２の第１の指標部２ａは、第１の導光体５の前面に配置され、第１の導光体５より照射される光によって透過照明される。表示板２の第２の指標部２ｂは、第２の導光体６の前面に配置され、第２の導光体６より照射される光によって透過照明される。表示板２の遮光部２ｃは、第１の指標部２ａ及び第２の指標部２ｂの背景となる遮光部２ｃを有している。
【００１３】
第１の光源３は、例えば白色のチップ型発光ダイオードからなり、第１の導光体５の第１の入光部５ａから第１の導光体５の内部に光を供給できるように配設される（図３参照）。第１の光源３は回路基板１０から供給される電力によって発光し、第１の導光体５を介して第１の指標部２ａを透過照明する。
【００１４】
第２の光源４は、例えば赤色のチップ型発光ダイオードからなり、第２の導光体６の第２の入光部６ａから第２の導光体６の内部に光を供給できるように配設される（図３参照）。第２の光源４は回路基板１０から供給される電力によって発光し、第２の導光体６を介して、第２の指標部２ｂを透過照明する。
【００１５】
第１の導光体５は、第１の光源３の光が入光する第１の入光部５ａと、第１の指標部２ａへ光を導光する第１の導光部５ｂと、を備えている。
【００１６】
第２の導光体６は、第２の光源４の光が入光する第２の入光部６ａと、第２の指標部２ｂへ光を導光する第２の導光部６ｂと、を備えている。
【００１７】
第１の入光部５ａは、第１の指標部２ａに面した第１の導光部５ｂの端部から、第１の光源３へ延びる垂れ下がり形状となっている。
【００１８】
第２の入光部６ａは、第２の指標部２ｂに面した第２の導光部６ｂの端部から、第２の光源４へ延びる垂れ下がり形状となっている。
【００１９】
第１の入光部５ａと第２の入光部６ａとの間には、連結部８が形成されている。連結部８には、第１の光源３の光と第２の光源４の光とが混色する箇所に、表示板２に向かって混色した光が進行するように表示板２方向へ回路基板１０の板面に対して垂直に突出した突出部８１が形成されている。突出部８１は、表示板２の第１の指標部２ａと第２の指標部２ｂ以外の遮光部２ｃの背面側に位置するように、第１の入光部５ａと第２の入光部６ａとの間であって、第１の導光部５ｂと第２の導光部６ｂよりも表示板２方向へ突出しない形状となっている。また、突出部８１は、光が出射される面Ｐが 曲面からなることで、光が集光されて放射される。
【００２０】
ケース体９は、白色樹脂からなるものであり、第１，第２の導光体５，６，回路基板１０等を保持するものである。ケース体９は、第１，第２の導光体５，６の背後に配設され、第１，第２の導光体５，６からの漏光を反射させることにより、効率よく表示板２を照明することができる。
【００２１】
回路基板１０は、ガラスエポキシ樹脂等の高熱伝導率の材質からなり、第１，第２の光源３，４と電気的に接続され、第１，第２の光源３，４に電力を供給するものである。
【００２２】
本実施形態のように、第１の光源３によって照明される第１の指標部２ａと、第１の光源３とは異なる照明色の第２の光源４によって照明される第２の指標部２ｂと、を有した表示板２と、第１の光源３の光が入光する第１の入光部５ａと、第１の指標部２ａの背後に位置し第１の入光部５ａから入光した第１の光源３の光を第１の指標部２ａに導光する第１の導光体５と、第２の光源４の光が入光する第２の入光部６ａと、第２の指標部２ｂの背後に位置し第２の入光部６ａから入光した第２の光源４の光を第２の指標部２ｂに導光する第２の導光体６と、第１の入光部５ａと第２の入光部６ａとを連結する連結部８と、を備えた照明装置において、連結部８は、第１の入光部５ａに入光した光と、第２の入光部６ａに入光した光とを表示板２の方向へ進行させるための突出部８１を有していることによって、混色した光を表示板方向へ逃がすことで、光源の光が表示領域に達することを抑制できる。
【００２３】
また、突出部８１、表示板２のうち第１の指標部２ａと第２の指標部２ｂとが表示されない遮光部２ｃの背面側に形成されていることによって、表示領域ではない遮光部２ｃの背面であって混色しやすい箇所でもある入光部に、表示板方向に突出した突出部８１を設けて、混色した光を表示板方向へ逃がすことで、光源の光が表示領域に達することを抑制できる。
【符号の説明】
【００２４】
２  表示板
２ａ  第１の指標部（第１の表示部）
２ｂ  第２の指標部（第２の表示部）
３  第１の光源
４  第２の光源
５  第１の導光体
５ａ  第１の入光部
５ｂ  第１の導光部
６  第２の導光体
６ａ  第２の入光部
６ｂ  第２の導光部
８  連結部
９  ケース体
１０  回路基板
２１  遮光部
８１  突出部
【図１】
0006544051.tif 000002
【図２】
0006544051.tif 000003
【図３】
0006544051.tif 000004
【図４】
0006544051.tif 000005